【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
スケジューラアプリケーションを用いて製品の製造計画、及び、前記製品の製造に使用する材料の調達計画を含む生産計画を行う情報処理装置であって、
前記製品の製造量及び製造終了日に関する情報を記憶する第１の記憶手段と、
前記製品の製造に用いられる材料の在庫量の推移を記憶する第２の記憶手段と、
現時点から所定の期間を経過する以降の前記材料の在庫量が所定の数量を下回らないよう、前記材料の在庫量の推移を調整する調整手段と、
前記スケジューラアプリケーションを用いて、前記第１の記憶手段に記憶されている製品の製造量を製造終了日までに製造するためのスケジュールを、前記調整手段で調整された前記材料の在庫量の推移を用いて計画する計画手段と、
前記計画手段に引き続き、前記計画手段で計画されたスケジュールに従って、当該スケジュールで前記製品を製造するために必要となる材料の調達計画の作成を自動的に行う作成手段と、
を備えることを特徴とする情報処理装置。
【請求項２】
前記所定の期間は、それぞれの材料の調達期間であり、
前記調整手段は、前記材料の調達期間経過後の在庫量が所定の数量を下回らないように前記材料の在庫量を調整すること
を特徴とする請求項１に記載の情報処理装置。
【請求項３】
前記所定の数量は、前記材料の安全在庫量であること
を特徴とする請求項１または２に記載の情報処理装置。
【請求項４】
前記第２の記憶手段には、前記計画手段により作成された前記調達計画に基づいた発注を行った後の材料の在庫量の推移がさらに記憶されること
を特徴とする請求項１乃至３のいずれか１項に記載の情報処理装置。
【請求項５】
前記製品を製造するために要する使用する設備と所要時間を含む工程情報を記憶する第３の記憶手段をさらに備え、
前記計画手段は、第３の記憶手段に記憶されている工程情報をさらに用いて前記スケジュールを計画すること
を特徴とする請求項１乃至４のいずれか１項に記載の情報処理装置。
【請求項６】
製品の製造量及び製造終了日に関する情報を記憶する第１の記憶手段と、前記製品の製造に用いられる材料の在庫量の推移を記憶する第２の記憶手段と、を備え、スケジューラアプリケーションを用いて前記製品の製造計画、及び、前記製品の製造に使用する前記材料の調達計画を含む生産計画を行う情報処理装置によって行われる情報処理方法であって、
現時点から所定の期間を経過する以降の前記材料の在庫量が所定の数量を下回らないよう、前記材料の在庫量の推移を調整する調整工程と、
前記スケジューラアプリケーションを用いて、前記第１の記憶手段に記憶されている製品の製造量を製造終了日までに製造するためのスケジュールを、前記第２の記憶手段に記憶されている前記材料の在庫量の推移を用いて計画する計画工程と、
前記計画工程に引き続き、前記計画工程で計画されたスケジュールに従って、当該スケジュールで前記製品を製造するために必要となる材料の調達計画の作成を自動的に行う作成工程と、
を備えることを特徴とする情報処理方法。
【請求項７】
製品の製造量及び製造終了日に関する情報を記憶する第１の記憶手段と、前記製品の製造に用いられる材料の在庫量の推移を記憶する第２の記憶手段と、を備え、スケジューラアプリケーションを用いて前記製品の製造計画、及び、前記製品の製造に使用する前記材料の調達計画を含む生産計画を行う情報処理装置を、
現時点から所定の期間を経過する以降の前記材料の在庫量が所定の数量を下回らないよう、前記材料の在庫量の推移を調整する調整手段と、
前記スケジューラアプリケーションを用いて、前記第１の記憶手段に記憶されている製品の製造量を製造終了日までに製造するためのスケジュールを、前記第２の記憶手段に記憶されている前記材料の在庫量の推移を用いて計画する計画手段と、
前記計画手段に引き続き、前記計画手段で計画されたスケジュールに従って、当該スケジュールで前記製品を製造するために必要となる材料の調達計画の作成を自動的に行う作成手段
として機能させることを特徴とするコンピュータプログラム。
【手続補正２】
【補正対象書類名】明細書
【補正対象項目名】００１０
【補正方法】変更
【補正の内容】
【００１０】
上記の目的を達成するために、本願発明の情報処理装置は以下の構成を備える。即ち、スケジューラアプリケーションを用いて製品の製造計画、及び、前記製品の製造に使用する材料の調達計画を含む生産計画を行う情報処理装置であって、前記製品の製造量及び製造終了日に関する情報を記憶する第１の記憶手段と、前記製品の製造に用いられる材料の在庫量の推移を記憶する第２の記憶手段と、現時点から所定の期間を経過する以降の前記材料の在庫量が所定の数量を下回らないよう、前記材料の在庫量の推移を調整する調整手段と、前記スケジューラアプリケーションを用いて、前記第１の記憶手段に記憶されている製品の製造量を製造終了日までに製造するためのスケジュールを、前記調整手段で調整された前記材料の在庫量の推移を用いて計画する計画手段と、前記計画手段に引き続き、前記計画手段で計画されたスケジュールに従って、当該スケジュールで前記製品を製造するために必要となる材料の調達計画の作成を自動的に行う作成手段と、を備えることを特徴とする。
【手続補正３】
【補正対象書類名】明細書
【補正対象項目名】００１１
【補正方法】変更
【補正の内容】
【００１１】
上記の目的を達成するために、本願発明の情報処理方法は以下の構成を備える。即ち、製品の製造量及び製造終了日に関する情報を記憶する第１の記憶手段と、前記製品の製造に用いられる材料の在庫量の推移を記憶する第２の記憶手段と、を備え、スケジューラアプリケーションを用いて前記製品の製造計画、及び、前記製品の製造に使用する前記材料の調達計画を含む生産計画を行う情報処理装置によって行われる情報処理方法であって、現時点から所定の期間を経過する以降の前記材料の在庫量が所定の数量を下回らないよう、前記材料の在庫量の推移を調整する調整工程と、前記スケジューラアプリケーションを用いて、前記第１の記憶手段に記憶されている製品の製造量を製造終了日までに製造するためのスケジュールを、前記第２の記憶手段に記憶されている前記材料の在庫量の推移を用いて計画する計画工程と、前記計画工程に引き続き、前記計画工程で計画されたスケジュールに従って、当該スケジュールで前記製品を製造するために必要となる材料の調達計画の作成を自動的に行う作成工程と、を備えることを特徴とする。
【手続補正４】
【補正対象書類名】明細書
【補正対象項目名】００１２
【補正方法】変更
【補正の内容】
【００１２】
上記の目的を達成するために、本願発明のコンピュータプログラムは以下の構成を備える。即ち、製品の製造量及び製造終了日に関する情報を記憶する第１の記憶手段と、前記製品の製造に用いられる材料の在庫量の推移を記憶する第２の記憶手段と、を備え、スケジューラアプリケーションを用いて前記製品の製造計画、及び、前記製品の製造に使用する前記材料の調達計画を含む生産計画を行う情報処理装置を、現時点から所定の期間を経過する以降の前記材料の在庫量が所定の数量を下回らないよう、前記材料の在庫量の推移を調整する調整手段と、前記スケジューラアプリケーションを用いて、前記第１の記憶手段に記憶されている製品の製造量を製造終了日までに製造するためのスケジュールを、前記第２の記憶手段に記憶されている前記材料の在庫量の推移を用いて計画する計画手段と、前記計画手段に引き続き、前記計画手段で計画されたスケジュールに従って、当該スケジュールで前記製品を製造するために必要となる材料の調達計画の作成を自動的に行う作成手段として機能させることを特徴とする。
【手続補正５】
【補正対象書類名】明細書
【補正対象項目名】００２６
【補正方法】変更
【補正の内容】
【００２６】
データ記憶部３０１は、後述する各種の処理を実行するために必要となる各種のデータを記憶する記憶部である。具体的には、図６に示す材料情報、図７に示す工程情報、図８に示す受注情報、図９に示す在庫推移情報、図１０に示す引当情報、図１１に示す作業管理情報、図１２に示す作業詳細情報などを記憶する。
【手続補正６】
【補正対象書類名】明細書
【補正対象項目名】００２７
【補正方法】変更
【補正の内容】
【００２７】
尚、在庫推移情報には、後述する生産管理計画部３０３による生産計画後に資材計画部３０４によって作成された資材計画に基づき発注担当者が行った発注処理により入力される材料の入庫日時および入庫量を示す入庫情報と、生産計画に基づく製品の製造に使用するために出庫される材料の出庫日時及び出庫量を示す出庫情報とが記憶されている。
【手続補正７】
【補正対象書類名】明細書
【補正対象項目名】００３０
【補正方法】変更
【補正の内容】
【００３０】
資材計画部３０４は、生産計画作成部３０３で作成された作業詳細情報に基づいて、当該詳細作業が示す作業に必要な材料を、当該作業が開始される前に調達するための資材調達計画を作成する。
【手続補正８】
【補正対象書類名】明細書
【補正対象項目名】００３２
【補正方法】変更
【補正の内容】
【００３２】
まず、ＣＰＵ２０１は、製造計画の作成を行うかについて判断する（ステップＳ４０１）。管理サーバ１０１のＣＰＵ２０１は、所定の時間に達した場合や、管理者端末１０２から製造計画の作成要求を受け付けた場合に、製造計画の作成を行うと判断する。製造計画処理を行うと判断した場合には（ステップＳ４０１でＹＥＳ）、処理をステップＳ４０２に進め、生産計画作成処理を行う。この処理の詳細については、図５を参照して説明する。
【手続補正９】
【補正対象書類名】明細書
【補正対象項目名】００３６
【補正方法】変更
【補正の内容】
【００３６】
製造終了指示を受け付けたと判断した場合には（ステップＳ４０７でＹＥＳ）、当該工程の工程情報７００を取得する（ステップＳ４０８）。そして、その工程情報の製造材料ＩＤ７０３に設定されている材料ＩＤを取得する（ステップＳ４０９）。そして、当該工程で製造される量を示す製造単位７０４に保存されている数量を取得し（ステップＳ４１０）、製造単位７０４で示される量だけ増加させることで、材料の在庫量を変更する（ステップＳ４１１）。尚、製造終了指示を受け付けた工程が最終工程であった場合には、その工程で最終的に製造される製品の在庫量を変更することになる。
【手続補正１０】
【補正対象書類名】明細書
【補正対象項目名】００３７
【補正方法】変更
【補正の内容】
【００３７】
また、管理サーバ１０１は、受注担当者が使用しているクライアント装置１０３から、受注受付の入力を随時受け付けている（ステップＳ４１２）。クライアント装置１０３から受注受付の入力があったと判断した場合には（ステップＳ４１２でＹＥＳ）、そのクライアント装置１０３から受信した情報を受注情報８００に登録することで、受注情報８００を更新する（ステップＳ４１３）。尚、受注情報８００の詳細については図８を参照して説明する。
【手続補正１１】
【補正対象書類名】明細書
【補正対象項目名】００３９
【補正方法】変更
【補正の内容】
【００３９】
また、管理サーバ１０１は、資材（材料）の発注担当者が使用しているクライアント装置１０３から、資材発注受付の入力を随時受け付けている（ステップＳ４１８）。クライアント装置１０３から資材発注を受け付けたと判断した場合には（ステップＳ４１８でＹＥＳ）、発注した資材の材料ＩＤ、その発注数量を合わせて取得する（ステップＳ４１９、ステップＳ４２０）。そして、資材の発注先から得た回答の入力を受け付けてその情報を取得する（ステップＳ４２１）。そして、ステップＳ４１９からステップＳ４２１で取得した情報をもとに当該部品の在庫推移情報９００を更新する。尚、在庫推移情報９００の詳細については、図９を参照して後述する。
【手続補正１２】
【補正対象書類名】明細書
【補正対象項目名】００５０
【補正方法】変更
【補正の内容】
【００５０】
図１１は、管理サーバ１０１の外部メモリ２０９に記憶されている作業管理情報１１００の構成の一例を示す図である。この作業管理情報１１００は、図４のステップＳ４０２の製造計画作成処理で作成された作業を管理するものである。尚、本実施例ではこの情報を、生産管理を行っている製品ごとに作成するものとして説明する。
【手続補正１３】
【補正対象書類名】明細書
【補正対象項目名】００５１
【補正方法】変更
【補正の内容】
【００５１】
図中１１０１は作業ＩＤであって、作業を一意に識別するための識別情報が登録されている。１１０２は製造数であって、当該作業で製造される製品の数量が登録されている。１１０３は開始予定であって、当該作業の開始予定時間が登録されている。１１０４は終了予定時間であって、当該作業の終了予定時刻が登録されている。以上が作業情報１１００の詳細な説明である。
【手続補正１４】
【補正対象書類名】明細書
【補正対象項目名】００５３
【補正方法】変更
【補正の内容】
【００５３】
図中、１００１は受注ＩＤであって、受注情報を一意に識別するための識別情報であり、図８の受注情報８００中の受注８０１に対応する。１００２は作業ＩＤであって、作業情報ウィ一意に識別するための識別情報であり、図１１の作業情報１１００中の作業ＩＤ１１０１に対応する。１００３は数量であって、受注ＩＤ１００１が示す受注に、作業ＩＤ１００２が示す作業で製造された製品を引き当てる数量の情報が登録されている。以上が図１０の引当情報１０００の説明である。
【手続補正１５】
【補正対象書類名】明細書
【補正対象項目名】００５４
【補正方法】変更
【補正の内容】
【００５４】
図９は、管理サーバ１０１の外部メモリ２０９に記憶されている在庫推移情報９００の構成の一例を示す図である。この在庫推移情報９００は、材料や製品の在庫量の推移を管理するためのものである。尚、本実施例ではこの情報を、生産管理を行っている製品に用いられる材料ごとに作成するものとして説明する。
【手続補正１６】
【補正対象書類名】明細書
【補正対象項目名】００５５
【補正方法】変更
【補正の内容】
【００５５】
図中９０１は日付であって、在庫量に変更が生じる日付を示す情報が登録されている。９０２は入庫／出庫フラグであり、材料が入庫されるのか、それとも出庫されるのかを示す情報が登録されている。９０３は入庫若しくは出庫される材料の数量情報が登録される。在庫数９０４は、在庫総数であって、在庫の入庫若しくは出庫による在庫量変動の結果の在庫量を示す情報が登録される。以上が在庫推移情報９００の説明である。
【手続補正１７】
【補正対象書類名】明細書
【補正対象項目名】００５６
【補正方法】変更
【補正の内容】
【００５６】
図１２は、管理サーバ１０１の外部メモリ２０９に記憶されている作業詳細情報１２００の構成を示す図である。この情報は、図１１に示す作業管理情報１１００の詳細を示す情報であり、図４の生産計画作成処理（ステップＳ４０２）において作成される情報である。尚、本願発明ではこの情報を、生産管理を行っている製品ごとに作成するものとして説明する。
【手続補正１８】
【補正対象書類名】明細書
【補正対象項目名】００５７
【補正方法】変更
【補正の内容】
【００５７】
図中１２０１は、作業詳細ＩＤであって、作業詳細情報を一意に示す識別情報である。１２０２は作業ＩＤであって、図１１の作業管理情報１１００中の作業ＩＤ１１０１に対応する。１２０３は工程ＩＤであって、図７の工程情報７００中の工程ＩＤ７０１に対応する。１２０４は設備情報であって、どの製造設備により作業が行われるのかを示す設備の識別情報が登録される。
【手続補正１９】
【補正対象書類名】明細書
【補正対象項目名】００６０
【補正方法】変更
【補正の内容】
【００６０】
図５は、図４のステップＳ４０２の生産計画作成処理の詳細を示すフローチャートである。この処理を行うためのプログラムは管理サーバ１０１の外部メモリ２０９に記憶されており、この処理を実行する際には管理サーバ１０１のＣＰＵ２０１は、当該プログラムをＲＡＭ２０２にロードし、そのプログラムによる制御に従って、本処理を実行する。
【手続補正２０】
【補正対象書類名】明細書
【補正対象項目名】００６２
【補正方法】変更
【補正の内容】
【００６２】
そして、ＣＰＵ２０１はステップＳ５０１で生産計画を行うと指定された製品の工程情報７００を取得する（ステップＳ５０２）。そして、その工程情報７００に含まれる材料所要量７０６から、当該製品のそれぞれの工程で使用される材料ＩＤ７０６−１を取得する（ステップＳ５０３）。
【手続補正２１】
【補正対象書類名】明細書
【補正対象項目名】００６３
【補正方法】変更
【補正の内容】
【００６３】
その後、ステップＳ５０３で取得したすべての材料ＩＤに対応する材料情報６００を取得する（ステップＳ５０４）。そして、ステップＳ５０３で取得したすべての材料ＩＤに対応する在庫推移情報９００を取得する（ステップＳ５０５）。
【手続補正２２】
【補正対象書類名】明細書
【補正対象項目名】００６９
【補正方法】変更
【補正の内容】
【００６９】
そして、指定を受け付けた全ての製品についての生産計画の作成処理が終了後、所定期日前に開始される作業で使用される材料の数量およびその作業開始日に従って、材料の在庫推移情報９００にレコードを追加する。